(57)【要約】【課題】  ゲートを通過する、万引等の商品の不正持出し人を画像で視覚的に確実に特定でき、かつゲート付近に常時警備要因を配置する必要のない不正持出し検知システムを提供する。【解決手段】  商品の不正持出し検知システムを、（１）記録を変更していないタグを取りつけた商品を検出して検出信号を発生するゲート１０と、  （２）ゲート近傍に取りつけられ、ゲートに近づきゲートを通過する商品携帯者を撮像して画像データを発生するカメラ１４と、  （３）カメラの発生する画像データを記憶するメモリと、  （４）ゲートの発生する検出信号と関連づけてメモリに記憶した画像データを通信回線を利用して送出する通信手段を備える制御部２２と、  （５）制御部の送出する画像データを取込み、取込んだ画像データを画像として表示する携帯端末２０と、で構成する。【選択図】  図１
2005242795.tif 000002
【特許請求の範囲】
【請求項１】
（１）記録を変更していないタグを取りつけた商品を検出して検出信号を発生するゲートと、
（２）ゲート近傍に取りつけられ、ゲートに近づきゲートを通過する商品携帯者を撮像して画像データを発生するカメラと、
（３）カメラの発生する画像データを記憶するメモリと、
（４）ゲートの発生する検出信号と関連づけてメモリに記憶した画像データを通信回線を利用して送出する通信手段を備える制御部と、
（５）制御部の送出する画像データを取込み、取込んだ画像データを画像として表示する携帯端末と、
からなる商品の不正持出し検知システム。
【請求項２】
通信回線を利用して送出する画像データがゲートを通過する以前の時点の画像データである請求項１に記載の不正持出し検知システム。
【請求項３】
通信回線を介してインターネットに接続し、画像データをホームページに掲載すると共に、携帯端末で画像データを携帯端末に取込む請求項１に記載の不正持出し検知システム。
【請求項４】
（１）記録を変更していないタグを取りつけた商品を検出して検出信号を発生するゲートと、
（２）ゲートの発生する検出信号と関連づけて撮像開始信号をカメラに送出する通信手段を備える制御部と、
（３）ゲート近傍に取りつけられ、制御部の撮像開始信号を受けた後、ゲートに近づきゲートを通過する商品携帯者を撮像して画像データを発生すると共に、通信回線を利用して得られた画像データを送信する手段を備えたカメラと、
（４）カメラの送出する画像データを取込み、取込んだ画像データを画像として表示する携帯端末と、
からなる商品の不正持出し検知システム。
【請求項５】
通信回線を利用して、撮像開始信号をカメラに送出する請求項４に記載の不正持出し検知システム。
【請求項６】
通信回線を介してインターネットに接続し、カメラで発生した画像データをホームページに掲載すると共に、携帯端末で画像データを携帯端末に取込む請求項４に記載の不正持出し検知システム。
【発明の詳細な説明】
【技術分野】
【０００１】
本発明は、商品等が正当な理由無く持出されることを検知する不正持出し検知システムに関する。更に詳述すれば、本発明は検知タグを取りつけた不正持出し商品等をゲートで検知し、携帯電話等の携帯端末に不正持出し人の画像データを表示することにより不正持出し人を特定することのできる不正持出し検知システムに関する。
【背景技術】
【０００２】
従来、商品等に添付され、商品と共に移動し、所定のゲートを通過する際に検出されることにより商品の管理を行ったり、商品の盗難（いわゆる万引）を防止したりする、磁界利用の検知タグが知られている。検知タグは、予め管理を要する商品等に取りつけられている。この商品を正規に購入した場合は、料金支払所等で、タグに記載してあるメモリ内容を変更することにより、ゲートを通過する際に正規の支払を済ませた商品と、不正持出し商品（万引品）とを区別できるようにしている。（例えば特許文献１）。
【０００３】
この盗難予防方法は、ゲートにＣＣＤカメラを設置してゲートを通過する人を撮像し、画像データを蓄積することにより、不正持出し常習犯を特定するものである。
【０００４】
この方法による場合は、不正持出し常習犯の特定はできる。しかし、データの蓄積のない初犯の場合は特定できず、特に不正持出し人が商店のゲート外に逃げてしまった場合や、ゲート近辺に多数の人がいる場合は不正持出し人が誰であるかを特定できず、このため常時ゲート付近に人を配備してゲートを通過する不正持出し人をその場で取り押える必要がある。しかし、このような方法は現実には人件費の高騰を招く問題がある。
【特許文献１】特開２００３−３４６２６７（請求項１）
【発明の開示】
【発明が解決しようとする課題】
【０００５】
本発明者は、上記問題を解決するために種々検討するうちに、電話回線等の通信回線を利用して、ゲート近辺で撮像したゲート通過人の画像データを携帯電話等の携帯端末に送り、携帯端末に画像を表示させることにより、不正持出し人をゲートから離れた場所にいても特定できることに想到した。
【０００６】
本発明は上記発見に基づき完成するに至ったものである。
【０００７】
従って、本発明の目的とするところは上記問題を解決し、ゲートを通過する不正持出し人を確実に特定でき、かつゲート付近に常時警備要因を配置する必要のない不正持出し検知システムを提供することにある。
【課題を解決するための手段】
【０００８】
上記目的を達成する本発明は、以下に記載するものである。
【０００９】
〔１〕
（１）記録を変更していないタグを取りつけた商品を検出して検出信号を発生するゲートと、
（２）ゲート近傍に取りつけられ、ゲートに近づきゲートを通過する商品携帯者を撮像して画像データを発生するカメラと、
（３）カメラの発生する画像データを記憶するメモリと、
（４）ゲートの発生する検出信号と関連づけてメモリに記憶した画像データを通信回線を利用して送出する通信手段を備える制御部と、
（５）制御部の送出する画像データを取込み、取込んだ画像データを画像として表示する携帯端末と、
からなる商品の不正持出し検知システム。
【００１０】
〔２〕    通信回線を利用して送出する画像データがゲートを通過する以前の時点の画像データである〔１〕に記載の不正持出し検知システム。
【００１１】
〔３〕    通信回線を介してインターネットに接続し、画像データをホームページに掲載すると共に、携帯端末で画像データを携帯端末に取込む〔１〕に記載の不正持出し検知システム。
【００１２】
〔４〕
（１）記録を変更していないタグを取りつけた商品を検出して検出信号を発生するゲートと、
（２）ゲートの発生する検出信号と関連づけて撮像開始信号をカメラに送出する通信手段を備える制御部と、
（３）ゲート近傍に取りつけられ、制御部の撮像開始信号を受けた後、ゲートに近づきゲートを通過する商品携帯者を撮像して画像データを発生すると共に、通信回線を利用して得られた画像データを送信する手段を備えたカメラと、
（４）カメラの送出する画像データを取込み、取込んだ画像データを画像として表示する携帯端末と、
からなる商品の不正持出し検知システム。
【００１３】
〔５〕    通信回線を利用して、撮像開始信号をカメラに送出する〔４〕に記載の不正持出し検知システム。
【００１４】
〔６〕    通信回線を介してインターネットに接続し、カメラで発生した画像データをホームページに掲載すると共に、携帯端末で画像データを携帯端末に取込む〔４〕に記載の不正持出し検知システム。
【発明の効果】
【００１５】
本発明の商品の不正持出し検知システムは、通信回線を用いて、不正持出し人の画像データを携帯端末に送り、携帯端末の表示部に不正持出し人の画像を表示するようにしているので、ゲートに警備員等がいなくても確実に不正持出し人を特定できる。
【発明を実施するための最良の形態】
【００１６】
以下、図面を参照して本発明の実施形態につき、詳細に説明する。
【００１７】
図１は本発明の商品の不正持出し検知システムを示す概念図である。図１中、１０はタグ検知用ゲートで、建物内の商店舗の出口１２の壁際等に立設されている。ゲートの検出方式は、磁気方式、電波方式、磁気自鳴方式、音響磁気方式、複合方式等があるが、これら方式は周知のもので、本発明に於いてはこれらの何れの方式も採用できる。
【００１８】
前記ゲート１０の上方には、撮像用のカメラ１４が取りつけられ、ゲート１０を通過する人を撮像して画像データを発生させる。
【００１９】
１８は、商店舗内に設けられた料金支払所で、ここで商品購入者は購入商品の代価を支払う。この際に、不図示の記録装置により、商品１７に取りつけられているタグ（不図示）の記録内容が変更され、ゲート１０を商品１７が通過してもゲートは不正検知信号を発生しないようになっている。一方、料金を支払っていない商品に取り付けられているタグの記録は変更されていないので、ゲートを通過する際に、検出信号が発生される。
【００２０】
２０は、携帯電話等の携帯端末で、ゲート１０で検出信号が検知されると、カメラ１４で発生した画像データが通信回線を利用して、携帯端末２０に送られ、その表示部にゲート１０を通過する不正持出し人１６が表示される。
【００２１】
２２は、上記システムを制御する制御部である。
【００２２】
（第１の形態）
図２は、本発明不正持出し検知システムの第１の形態を示すブロック図である。
【００２３】
図１に示すように、カメラ１４は、ゲート１０の上方に取りつけられており、撮像方向は商店内部方向である。このカメラ１４は常時撮像を行っており、商店内から商店外に向う人を連続的に撮影している。従って、カメラ１４は数ｍ先からカメラに向って進んでくる人を連続的に撮像していることになる。カメラ１４の撮像により得られる画像データは制御部２２に取込まれ、図２に示すメモリ３０に蓄積される。なお、蓄積された画像データは、所定の保存期間が経過すると順次消去されるようにしても良い。
【００２４】
記録を変更していないタグが取り付けられた商品（料金支払所で料金を支払っていない商品、万引品）を所持した不正持出し人１６がゲート１０を通過すると、ゲート１０が記録を変更していないタグを検出し、検出信号が制御部２２に送られる。
【００２５】
制御部２２は検出信号を受取ると、予め設定されている時間を遡った時に撮像してメモリ３０に記憶してある画像データを取出し、送信部３２から通信回線３４を利用して、携帯端末２０に画像データを送る。なお、通信回線３４としては、公衆電話回線や、無線ＬＡＮが挙げられる。
【００２６】
遡る時間は、カメラ１４に向って近づいてくる不正持出し人の特徴（例えば顔や服装等）を識別するのに最適な画像が撮像できる位置に相当する時間迄遡ることが好ましい。即ち、この時間は、カメラ１４と不正持出し人との離間距離を歩く時間に相当する。具体的には、０〜５秒程度が好ましい。
【００２７】
携帯端末２０としては、携帯電話、ＰＨＳ等を例示できる。送られた画像データは、携帯端末２０の表示部に人物画像として表示される。
【００２８】
本形態に於いては、ゲート１０で不正持出しを検出し、その検出時、または検出時から所定時間遡って不正持出し人の特徴が明確に現れている画像データを携帯端末に送り、不正持出し人を画像で視覚的に特定できるようにしている。このため、ゲート１０に警備員等を配備していなくても、瞬時に不正持出し人を特定できる。
【００２９】
（第２の形態）
図３は、本発明の第２の形態を示すブロック図である。この形態に於いては、送信部３２から通信回線３４を使ってインターネット３６に接続し、インターネット上に画像データをダウンロードできるホームページを掲載する。携帯端末２０を用いて、前記ホームページから画像データをダウンロードするか、自動的にデータを転送することにより、瞬時に不正持出し人１６を視覚的に確認できる。
【００３０】
（第３の形態）
図４は、本発明に第３の形態を示すブロック図である。この形態に於いては、カメラ４２は常時撮像をしていない。
【００３１】
先ず、ゲート１０で不正持出しを検知すると、これにより発生した検出信号を制御部２２に送る。制御部２２は、送信機３２から通信回線４０を利用してカメラ４２の送受信部４６に撮像信号を送る。この撮像信号を受けたカメラ４２はゲート内の不正持出し人を撮像する。
【００３２】
得られた画像データは、カメラ４２の送受信部から、通信回線４８を利用して携帯端末２０に送られ、その表示部に不正持出し人の画像が表示される。
【００３３】
これにより、瞬時に不正持出し人を視覚的に確認できる。
【００３４】
以下、実施例により本発明を更に具体的に説明する。
【実施例】
【００３５】
実施例１
図４に示す形態の商品の不正持出し検知システムを構築した。
【００３６】
リンテック株式会社製の磁気方式のタグ（商品名  ＥＨ−０２６）を添付した商品を所持し、タグの記録を変更せずにゲートを通過した。なお、ゲートは、リンテック株式会社製の磁気方式のゲート（商品名ＥＧＣ−４５）を用いた。
【００３７】
ゲートの検出信号を制御部に送り、携帯電話を介してＮＴＴ社の商品名Ｐ−ｉｎ（カメラ、ボードコンピュータ、送受信機が一体に構成されている）に撮像信号を送った。この撮像信号により、カメラはゲート内の不正持出し人を撮像した。撮像して得た画像データは通信回線を利用して携帯電話に送信した。これにより、携帯電話の表示部に不正持出し人の画像が表示された。
【図面の簡単な説明】
【００３８】
【図１】本発明の商品の不正持出し検知システムの一例を示す概念図である。
【図２】本発明不正持出し検知システムの第１の形態を示すブロック図である。
【図３】本発明不正持出し検知システムの第２の形態を示すブロック図である。
【図４】本発明不正持出し検知システムの第３の形態を示すブロック図である。
【符号の説明】
【００３９】
１０    タグ検知用ゲート
１２    出口
１４    カメラ
１６    不正持出し人
１７    商品
１８    料金支払所
２０    携帯端末
２２    制御部
３０    メモリ
３２    送信部
３４    通信回線
３６    インターネット
４０    通信回線
４２    カメラ
４６    送受信部
４８    通信回線
【図１】
2005242795.tif 000003
【図２】
2005242795.tif 000004
【図３】
2005242795.tif 000005
【図４】
2005242795.tif 000006